(57)【要約】【課題】ジッパーを引き裂くための取っ掛かりである摘み部が誰にでも摘みやすくて開封しやすく、かつ、摘み部が差し込み口に差し込みやすく再封が容易にできる易開封カートンを提供することにある。【解決手段】本発明は、前パネルに設けられたジッパーの摘み部を引っ張ることにより、破断線に沿って前パネルの一部とこれに繋がる天パネルの一部が開口部として開封できる易開封カートンにおいて、摘み部の端辺と重なる陵線上に凹部を設け、該凹部と摘み部との間に間隙を形成し、糊代パネルの凹部の近傍に摘み部を差し込む差し込み口を設けたことを特徴とする易開封カートンである。【選択図】図１
2006168819.tif 000002
【特許請求の範囲】
【請求項１】
前パネルに設けられたジッパーの摘み部を引っ張ることにより、破断線に沿って前パネルの一部とこれに繋がる天パネルの一部が開口部として開封できる易開封カートンにおいて、
前記摘み部の端辺と重なる陵線上に凹部を設け、該凹部と前記摘み部との間に間隙を形成し、糊代パネルの前記凹部の近傍に前記摘み部を差し込む差し込み口を設けたことを特徴とする易開封カートン。
【請求項２】
前記凹部が、前記稜線に隣接する両パネル側に弧状に膨らんだ形状の折れ線を折り込むことにより形成されていることを特徴とする請求項１に記載の易開封カートン。
【請求項３】
前記凹部が、前記稜線に隣接する両パネル側に三角形状に膨らんだ形状の折れ線を折り込むことにより形成されていることを特徴とする請求項１に記載の易開封カートン。
【請求項４】
前記凹部が、前記稜線に隣接する両パネル側に台形状に膨らんだ形状の折れ線を折り込むことにより形成されていることを特徴とする請求項１に記載の易開封カートン。
【発明の詳細な説明】
【技術分野】
【０００１】
本発明は、ジッパーによる易開封性が付与された易開封カートンに関するものである。
【背景技術】
【０００２】
従来から多く使用されている易開封カートンの一例としては、図９に示すように、前パネル１にジッパーＪを設けそのジッパーＪの先端部である摘み部Ｔを引っ張り、破断線ｊ、ｊに沿って前パネル１と天パネル２を破断することにより２筋の破断線ｊ、ｊに囲まれた開閉部分を摘みあげることにより、天パネル２の中央の開口部Ｒを開放して内容物を取り出すことができる易開封カートンＢのような形状がある。また、この形状では、一旦開けた前記開閉部分は、リクローズするにあたって摘み部Ｔを糊代パネル５に設けた差し込み口ｓに差し込んで閉じることにより、自然に前記開閉部分が開くことを防いでいる。また、ジッパーＪにおいても、ジッパーＪの先端部の摘む部分である摘み部Ｔが、指で摘みやすいように破断線ｊ、ｊの先端から切り込みｔ、ｔが入れられた形状も多い。
【０００３】
また、再封においても、摘み部Ｔが差し込みやすいように、切り込み、あるいは切り欠けによる差し込み口を設けるが、差し込み口の形状は、一般的に摘み部Ｔを差し込む方向と直角に直線状となっている。差し込み口の形状については、図９−ｂに示すように、差し込み口ｓの直線部分の中央上側に切り抜き部ｋを設けた形状、その他も提案されている（例えば、特許文献１参照。）。
【特許文献１】特開平９−１９３９２６号公報
【発明の開示】
【発明が解決しようとする課題】
【０００４】
しかしながら、従来のジッパーにおいては、ジッパーを引き裂くために、摘み部を摘む場合、隙間がなく、爪を立てるなどして摘み部を摘まむ必要があり、一般の成人はもとより、老人、子供などにとっては、開封が難しいという問題がある。また、再封においても、上記の形状は、摘み部Ｔを差し込み口Ｓに差し込む際に、多少の改善は見られ、差し込み易さを増すが、満足し得るものではない。
【０００５】
本発明は、前述の問題点に鑑みてなされたもので、ジッパーを引き裂くための取っ掛かりである摘み部が誰にでも摘みやすくて開封しやすく、かつ、摘み部が差し込み口に差し込みやすく再封が容易にできる易開封カートンを提供することを目的とするものである。
【課題を解決するための手段】
【０００６】
前記課題を解決するためになされた本発明は、前パネルに設けられたジッパーの摘み部を引っ張ることにより、破断線に沿って前パネルの一部とこれに繋がる天パネルの一部が開口部として開封できる易開封カートンにおいて、前記摘み部の端辺と重なる陵線上に凹部を設け、該凹部と前記摘み部との間に間隙を形成し、糊代パネルの前記凹部の近傍に前記摘み部を差し込む差し込み口を設けたことを特徴とする易開封カートンである。そして、前記凹部が、前記稜線に隣接する両パネル側に弧状に膨らんだ形状の折れ線を折り込むこと、三角形状に膨らんだ形状の折れ線を折り込むこと、あるいは、台形状に膨らんだ形状の折れ線を折り込むことにより形成されていることを特徴とする。
【発明の効果】
【０００７】
本発明の易開封カートンによれば、ジッパーの摘み部の端辺が重なる位置のカートンの稜線に凹部を設けることにより、摘み部とカートンとの間に間隙が形成されるため、ジッパーを引き裂くための取っ掛かりである摘み部が誰にでも摘みやすくカートンの開封が容易にできるという効果を有するものである。
【０００８】
また、糊代パネルと底パネルとの稜線に凹部を設けたことにより、糊代パネルの一部が傾斜面となり、この部分に切り込みにより差し込み口を設けることにより、差し込み口が広がりやすく、前パネルに設けた摘み部が差し込みやすくなり、再封が容易となるという効果を有するものである。
【発明を実施するための最良の形態】
【０００９】
本発明の実施の形態について、図面を用いてさらに詳しく説明する。
【００１０】
図１は、本発明による易開封カートンの実施の形態の一実施例を説明する図である。図１−ａは、斜視図であり、図１−ｂはジッパーの開封部の部分拡大断面図であり、図１−ｃは、開封した後の状態を示す斜視図である。本発明による易開封カートンＡは、直方体形状であり、前パネル１の中央部に２筋の切断線ｊ、ｊによるジッパＪーを設けている。そして、その切断線ｊ、ｊの先端部には切り込欠けｒ、ｒを設けている。ジッパーＪは天パネル２の方向に向かって広がり、天パネル２では幅広いジッパーＪとなり、上方から内容物を取り出すことができる開口部Ｒを形成している。また、その摘み部Ｔの端辺が重なるカートンの稜線には摘み部Ｔとカートンとの間に隙間を取るべく凹部Ｏを形成している。さらに、開封後に表出する糊代パネル５に差し込み口Ｓを設けている。この差し込み口Ｓに摘み部Ｔを差し込むことにより、再封することができる。
【００１１】
図２は、図１の易開封カートンＡのブランクの展開図である。ブランク１０は、前パネル１、天パネル２、後パネル３、底パネル４、糊代パネル５を折れ線ａ、ｂ、ｃ、ｄを介して連設している。そして、天パネル２の上下辺には側パネル６、６を折れ線ｅ、ｅを介して連設し、後パネル３の上下辺には折り込み片７、７を折れ線ｆ、ｆを介して連設し、底パネル４の上下辺には側下パネル８、８を折れ線ｇ、ｇを介して連設し、糊代パネル５の上下辺には折り込み片９、９を折れ線ｈ、ｈを介して連設している。
【００１２】
本発明による易開封カートンＡには、所定のピッチで左右対称に配列したＬ字状の２本の切断線ｊ、ｊで構成された開口用のジッパーＪを前パネル１および天パネル２に渡って設けている。この切断線ｊの形状は、特に、限定されるものではなく、ミシン目、Ｉ字状切れ目、Ｌ字状切れ目、Ｙ字状切れ目等とすることができる。そして、その切断線ｊ、ｊの先端部には切り欠けｒ、ｒを設けて摘み部Ｔを形成している。この切断線ｊ、ｊの先端部には切り込みを設けた形状としてもよい。従って、このジッパーＪによって、摘み部Ｔを持ち上げ、前パネル１のジッパーＪを引き裂き、そして、天パネル２の開口部Ｒを綺麗に開口することができる。
【００１３】
また、糊代パネル５と底パネル４との折れ線ｄの略中央部には、カートンに組み立てた時に、前パネル１のジッパーＪの摘み部Ｔの端辺と重なる部分に、端辺より幅広い部分に底パネル４と糊代パネル５を折れ線ｄで直角に折り曲げた時に凹部Ｏを形成するように、折れ線ｄ４および折れ線ｄ５を底パネル４側および糊代パネル５側に弧状に膨らんだ形状で設けている。つまり、折れ線ｄ４および折れ線ｄ５は凸レンズ形状となっており、底パネル４と糊代パネル５を折れ線ｄで直角に折り曲げると同時に、折れ線ｄ４および折れ線ｄ５を折り込むことにより凹部Ｏを形成することができる。
【００１４】
なお、凹部Ｏの長さは、本実施例では、摘み部Ｔの幅より長く設けているが、指の先で摘みやすくなれば、摘み部Ｔの幅と同じ長さあるいは狭い長さとしてもよい。
【００１５】
また、凹部Ｏの形状は、ジッパーＪの摘み部Ｔとの間に間隙ができ、摘み部Ｔが摘み易いように陵線に形成すればよく、本実施例で示した凸レンズ形状に折れ線を設けた形状以外にも、例えば、図３−ａに示すように菱形に折れ線を設けた形状、図３−ｂに示すように、六角形に折れ線を設けた形状、図３−ｃに示すように、長円形に折れ線を設けた形状などとすることができる。また、図３−ｄに示すように、上記折れ線形状の中央部を省略した形状とすることもできる。
【００１６】
また、再封のために摘み部Ｔを差し込む差し込み口Ｓを糊代パネル５に切り込みにより設けている。この差し込み口Ｓは、折れ線ｄに沿って凹部Ｏの近傍の摘み部Ｔが差し込み可能な位置に設けている。実際に、易開封カートンＡを組み立てる際に折れ線ｄを折り曲げて、凹部Ｏを形成した時、図４−ａに示すように、折れ線ｄ５が糊代パネル５の面より盛り上がり、糊代パネル５の凹部Ｏ側が傾斜面を形成した状態となる。この傾斜面に切り込みにより差し込み口Ｓを設けることにより、摘み部Ｔを差し込み口Ｓに差し込む時に、図４−ｂに示すように、切り込みが広がりやすくなり、再封の時に、前パネル１のジッパーＪの摘み部Ｔが差し込み口Ｓに差し込み易い形状とすることができる。
【００１７】
切り込みによる差し込み口Ｓの形状は、本例では折れ線ｄに沿って平行に直線状に設けているが、変形例としては、図５−ａ、ｂに示すような円弧状の曲線としてもよい。また、図５−ｃ、ｄに示すように、両端から一方側に曲がった補助切り込みを延設してもよく、その形状は直線、あるいは、図５−ｅ、ｆに示すように、半円形等としてもよい。
【００１８】
また、差し込み口Ｓの長さは、通常は、ジッパーＪの摘み部Ｔが差し込みやすいように、摘み部Ｔの幅より余裕を持った長さとする必要があるのに対して、本発明の易開封性カートンＡでは、差し込み口Ｓの長さを摘み部Ｔの幅に近づけた長さとすることができる。このような形状とすることによって、摘み部Ｔが差し込みやすいと共に、再封した時に、差し込んだ摘み部Ｔが保持されて不必要に抜け出すことを防ぐことができる。
【００１９】
上記のブランク１０から易開封性カートンＡを組み立てて商品を収納するには、まず、図６−ａに示すように、底パネル４を折れ線ｃで後パネル３側に折返し、つぎに、前パネル１を折れ線ａで天パネル２側に折り曲げて、糊代片５と前パネル１とを貼り合わせて、図６−ｂに示すように、折り畳んだ状態の易開封性カートンＡとすることができる。この糊代片５と前パネル１の貼り合わせにおいて、ジッパーＪが開封しやすいように、前パネル１のジッパーＪの部分は糊代片５と貼り合わせないように接着剤を塗布しないか、あるいは、予め糊代片５のジッパーＪと貼り合わせる部分に剥離処理を施しておくことが好ましい。
【００２０】
つぎに、このサック貼りして折り畳んだ状態の易開封性カートンＡを、図６−ｃに示すように、実際に内容物を充填する工程で角筒状に起こし、両方の折り込み片７、９を内側に折り曲げてから、側下パネル８、側パネル６の順にそれぞれ内側に折り曲げて互いに接着することにより、図６−ｄに示すように、一方の側を閉鎖する。この状態で他方の側面開口から内容物を充填する。このように内容物を収納した後、図６−ｅに示すように、両方の折り込み片７、９を内側に折り曲げてから、側下パネル８、側パネル６の順にそれぞれ内側に折り曲げて互いに接着することにより他方の側を閉鎖する。これにより図１に示す易開封性カートンＡが作成される。
【００２１】
上記のように、まず、折り畳んだ状態の易開封性カートンＡとし、つぎの工程で起こして内容物を充填する方法以外に、折り畳んだ状態にしないで内容物を収納する、いわゆるラップラウンド方式の充填方法で行うこともできる。すなわち、ブランクの状態で内容物を包装する方法で、ブランク１０において底パネル４に内容物を載置し、それぞれの面で包むようにし、糊代片５と前パネル１を貼り合わせ、つぎに、両方の折り込み片７、９を内側に折り曲げてから、側下パネル８、側パネル６の順にそれぞれ内側に折り曲げて互いに接着することによって図１に示す易開封性カートンＡが作成される。
【００２２】
図１の易開封性カートンＡを開封するには、従来の易開封性カートンと同様、図７−ａに示すように、前パネル１の摘み部Ｔを摘んで引っ張り上げ、そして、摘み部Ｔからつづく破断線ｊ、ｊを引き裂いて前パネル１のジッパーＪを開封しはじめる。この時、摘み部Ｔに下部に凹部Ｏが形成されているため、摘み部Ｔは指で摘まみやすくなっている。引き続いて、前パネル１のジッパーＪを開封した後に、図７−ｂに示すように、天パネル２の破断線ｊ、ｊに沿って引き裂くことにより、天開封部分Ｒが開口された状態とする。この状態で収納されている商品を取り出すことができる。
【００２３】
また、一旦開けた部分を再封する際には、摘まみ部Ｔを、糊代片５の凹部Ｏの近傍に設けられている差し込み口Ｓに差し込んで係止することができる。
【００２４】
本実施の形態の例は本発明の易開封性カートンに関する一つの例を示したに過ぎず、この形状に限定されるものではない。本実施の形態の例のような直方体ではなく、例えば、図８−ａに示すような側面がテーパー状であるトレー形状とすることもでる。また、多面体形状とすることもでき、図８−ｂ、ｃに示すような六角柱形状、図８−ｄに示すような曲面を有する形状等のカートンにも適用することができる。また、直方体、多角柱形状の角部にアールを設けた形状とすることもできる。
【産業上の利用可能性】
【００２５】
具体的な用例としては、菓子、食品等を収納するカートンに使用することができ、特に、開口部分を広くし、内容物を取り出し易く、かつ、再封が容易にできるカートンに広く利用できるものである。
【図面の簡単な説明】
【００２６】
【図１】本発明による易開封カートンの実施の形態の一例の斜視図、開封部の部分拡大断面図および開封後の斜視図である。
【図２】図１の本発明による易開封カートンのブランクの展開図である。
【図３】本発明による易開封カートンにおける凹部の他の形状例を示す部分拡大図である。
【図４】図１の本発明による易開封カートンの差し込み口の部分の概略断面図である。
【図５】本発明による易開封カートンにおける差し込み口の他の形状例を示す部分拡大図である。
【図６】図１の本発明による易開封カートンを組み立てる過程の説明図である。
【図７】図１の本発明による易開封カートンを開封する過程の説明図である。
【図８】本発明による易開封カートンの他の形状例を示す斜視図である。
【図９】従来の易開封カートンの斜視図である。
【符号の説明】
【００２７】
Ａ      易開封カートン（本発明）
Ｂ      易開封カートン（従来）
ｓ      差し込み口（従来）
１０      ブランク
Ｊ      ジッパー
Ｒ      開口部
Ｓ      差し込み口
Ｔ      摘み部
Ｏ      凹部
１      前パネル
２      天パネル
３      後パネル
４      底パネル
５      糊代パネル
６      側パネル
７      折り込み片
８      側下パネル
９      折り込み片
ａ〜ｉ    折れ線
ｊ      切断線
ｔ      切り込み
ｒ      切り欠け
【図１】
2006168819.tif 000003
【図２】
2006168819.tif 000004
【図３】
2006168819.tif 000005
【図４】
2006168819.tif 000006
【図５】
2006168819.tif 000007
【図６】
2006168819.tif 000008
【図７】
2006168819.tif 000009
【図８】
2006168819.tif 000010
【図９】
2006168819.tif 000011